【事件の表示】
　平成　６年特許願第２６９１２４号「画像形成装置」拒絶査定不服審判事件〔平成　８年　５月２１日出願公開、特開平　８−１３０６３４〕について、次のとおり審決する。
【結　論】
　本件審判の請求は、成り立たない。
【理　由】
１．手続の経緯等
　本願は、平成６年１１月１日の出願であって、平成１２年１０月１１日付け、及び平成１５年１月２４日付けの手続補正書によって補正された明細書及び図面の記載から、本願の請求項１に係る発明（以下、本願発明という。）は、特許請求の範囲の請求項１に記載された次のとおりのものである。
　
「原稿の画像を読み取る画像読取手段と、該手段によって読み取られた画像データを加工する画像加工手段と、該手段に加工させる任意の領域を指定する領域指定手段とを備えた画像形成装置において、
　前記画像読取手段によって読み取られた画像データを表示するタッチパネルを設け、
　前記領域指定手段が、前記タッチパネル上の操作により、該タッチパネルに表示されている画像データ中の前記画像加工手段に加工させる任意の領域を指定する手段であり、
　前記画像加工手段が、前記領域指定手段によって領域が指定されたとき、その指定された領域を含んで面積が最小となる矩形領域を有効画像領域として算出する有効画像領域算出手段と、該手段によって算出された有効画像領域を転写紙サイズ内に入る最大の大きさに変倍するための倍率を算出する最大倍率算出手段と、該手段によって算出された倍率で前記指定された領域の画像データを変倍する変倍手段とを有することを特徴とする画像形成装置。」
　
２．引用例
　これに対して、原審の拒絶理由で引用された特開平４−３１１１５７号公報（以下、引用例という。）には、図面とともに次の記載がなされている。　
（１）「【特許請求の範囲】
【請求項１】　原稿内容を読み取ってその原稿内容に対応した画データを出力する読取部と、前記原稿内容のうちの有効情報が含まれる範囲を確定する有効範囲確定回路と、記録系の記録可能サイズに応じて、前記有効情報が含まれる範囲内における前記画データについて縮小や拡大などの画像処理を行って、処理後の画データを前記記録系に与える画像処理部とを備えた画像処理装置。」
　
（２）「【００１０】
【発明が解決しようとする課題】従来の画像処理装置は以上のように構成されているので、縮小処理を行うときには縮小前のサイズの全面を縮小対象とし、また、切出処理を行うときには固定的な位置あるいはオペレータが設定した位置を切出対象としている。よって、余白部分が多くかつ文字等が小さい原稿を縮小すると記録画における文字等が判別できなくなったり、文字等がある部分が片寄っていたりすると記録画において文字等が欠けたりするなどの課題があった。
【００１１】この発明は上記のような課題を解消するためになされたもので、縮小等の処理を行っても記録画における文字等の情報が劣化しないようにすることができる画像処理装置を得ることを目的とする。」
　
（３）「【００１６】
【実施例】以下、この発明の一実施例を図について説明する。図１において、３はイメージセンサ２が出力した電気信号をディジタル化する読取処理回路、６は読取処理回路３が出力した画データをもとに有効範囲を確定する有効範囲確定回路、７は有効範囲および記録紙サイズに応じて拡大率または縮小率を定め、その拡大率または縮小率に従って有効範囲における画データの拡大処理または縮小処理を行う自動拡大縮小回路であり、その他のものは同一符号を付して図６に示したものと同一のものである。
【００１７】なお、この場合には、イメージセンサ２と読取処理回路３とで読取部が構成され、自動拡大縮小回路７によって画像処理部が構成されている。
【００１８】次に動作について説明する。イメージセンサ２は原稿内容を読み取ってそれに対応した電気信号を出力する。読取処理回路３は、イメージセンサ２から電気信号を入力し、２値化処理などの所定の処理を行って原稿内用に対応した画データを作成する。
【００１９】作成された画データは、有効範囲確定回路６に与えられる。有効範囲確定回路６は、画データにもとづいて読み取られた原稿の有効範囲を確定する。
【００２０】有効範囲確定処理は、例えば以下のように行われる。すなわち、図２に示すように、１原稿分の画データのうちの一定画素（ｎ×ｎ画素）から成るブロックにおける黒画素が所定の割合（Ａ％）以上である場合に、そのブロックを有効情報ブロックとする。そして、１原稿分の画データの全てのブロックについてその判定を行う。さらに、図３に示すように、１原稿を主走査方向（ｘ）と副走査方向（ｙ）との（ｘ，ｙ）座標で表現したときに、有効情報ブロックとされたブロックの集合のうち、最大ｘ座標点ｘ2、最小ｘ座標点ｘ1、最大ｙ座標点ｙ2 および最小ｙ座標点ｙ1を求め、座標（ｘ1，ｙ1）、（ｘ1，ｙ2）、（ｘ2，ｙ2 ）および（ｘ2，ｙ1）で囲まれた範囲を有効範囲１１とする。
【００２１】自動拡大縮小回路７は、プリンタ５に装着されている記録紙１２のサイズを入手し、読取処理回路３が作成した画データのうち有効範囲内のデータのみを対象として拡大または縮小の処理を行う。例えば、図４に示すように、記録紙１２がＡ４記録紙１０であったときには、有効範囲１１内における画データをＡ４サイズに縮小する。具体的には、Ａ４サイズ分の画素数になるように、画素の間引き処理が施される。また、拡大の場合には、画素の挿入処理が施される。そして、処理後の画データは記録制御回路４に与えられ、従来の場合と同様に記録処理がなされる。」
　
　したがって、引用例には以下の発明（以下、引用発明という。）が記載されているといえる。
　
「原稿内容を読み取ってその原稿内容に対応した画データを出力する読取部と、
　１原稿分の画データのうちの一定画素（ｎ×ｎ画素）から成るブロックにおける黒画素が所定の割合（Ａ％）以上である場合に、そのブロックを有効情報ブロックとし、１原稿分の画データの全てのブロックについてその判定を行い、１原稿を主走査方向（ｘ）と副走査方向（ｙ）との（ｘ，ｙ）座標で表現したときに、有効情報ブロックとされたブロックの集合のうち、最大ｘ座標点ｘ2、最小ｘ座標点ｘ1、最大ｙ座標点ｙ2 および最小ｙ座標点ｙ1を求め、座標（ｘ1，ｙ1）、（ｘ1，ｙ2）、（ｘ2，ｙ2 ）および（ｘ2，ｙ1）で囲まれた範囲を有効範囲とする前記原稿内容のうちの有効情報が含まれる範囲を確定する有効範囲確定回路と、
　記録系の記録可能サイズに応じて、前記有効情報が含まれる範囲内における前記画データについて縮小や拡大などの画像処理を行って、処理後の画データを前記記録系に与える画像処理部とを備えた画像処理装置。」
　
３．対比
　引用発明は画データを記録系に与える画像処理部とを備えた画像処理装置であるから、画像形成装置といえるものであり、その「原稿内容を読み取ってその原稿内容に対応した画データを出力する読取部」は原稿の画像を読み取る画像読取手段ということができる。
　また、縮小や拡大などの画像処理を行う「画像処理部」は読み取られた画像データを加工するする機能を有し、段落【００２１】及び図４の記載から、有効範囲を記録紙サイズ内に入る最大の大きさに縮小や拡大するための倍率を算出する機能、及び算出された倍率で有効範囲の画像データを変倍する機能を有することは明かである。
　さらに、「有効範囲確定回路」は、１原稿分の画データのうちの一定画素（ｎ×ｎ画素）から成るブロックにおける黒画素が所定の割合（Ａ％）以上であるブロックを「有効情報ブロック」とするのであり、このような「有効情報ブロック」の集合が、図３の「ＡＢＣ…ＰＱＲ」や「１９９１．４．５」の文字の領域に対応することになるから、領域を指定する機能を有し、このような領域から、段落【００２０】及び図３に記載されたようにして有効範囲を確定するのであるから、それらの領域を含んで面積が最小となる矩形領域を有効画像領域として算出する機能を有するものといえる。そして、後者の機能は縮小や拡大などの画像処理を行う「画像処理部」の機能と、より関連が深いものといえる。
　したがって、本願発明と引用発明は次の点で一致する。
　
「原稿の画像を読み取る画像読取手段と、該手段によって読み取られた画像データを加工する画像加工手段と、該手段に加工させる領域を指定する領域指定手段とを備えた画像形成装置において、
　前記画像加工手段が、前記領域指定手段によって領域が指定されたとき、その指定された領域を含んで面積が最小となる矩形領域を有効画像領域として算出する有効画像領域算出手段と、該手段によって算出された有効画像領域を転写紙サイズ内に入る最大の大きさに変倍するための倍率を算出する最大倍率算出手段と、該手段によって算出された倍率で前記指定された領域の画像データを変倍する変倍手段とを有することを特徴とする画像形成装置。」
　
　このことは、平成１５年１０月２日付けで補正された審判請求書の請求の理由で、
「３．本願発明と引用文献との対比
　そこでまず、本願発明と、それに最も近いと思われる引用文献１に記載された発明とを対比すると、両者は、画像読取手段で読み取られた画像データ中の有効画像領域を確定して、その領域（の画像データ）を転写紙（記録紙）のサイズに合わせて変倍する点では一致していると認められが、」
と記載されていることに対応する。
　
　また、次の点で相異する。
　
　相異点
　本願発明では、「画像読取手段によって読み取られた画像データを表示するタッチパネル」を設け、「領域指定手段」が、「前記タッチパネル上の操作により、該タッチパネルに表示されている画像データ中の前記画像加工手段に加工させる任意の領域を指定する手段」であるのに対して、引用発明では、「タッチパネル」は設けられておらず、「領域指定手段」が、１原稿分の画データのうちの一定画素（ｎ×ｎ画素）から成るブロックにおける黒画素が所定の割合（Ａ％）以上である場合に、そのブロックを有効情報ブロックとするものである点。
　
４．相異点に対する判断
　本願発明や引用発明の技術分野において、読み取られた原稿の画像データを表示するいわゆるタッチパネルを設け、タッチパネルに表示されている画像データ中の任意の領域を指定して、画像データを加工して編集することは周知技術にすぎない。例えば、以下に示すとおりである。
　
　周知例１．特開平６−１２１１５２号公報（平成６年４月２８日公開）
「【要約】
……
カラー編集指示部は表示された原稿イメージに、タッチペン５−４で画像編集領域を指定する。編集操作パネル部は領域入力の設定方法の選択、設定された領域の拡大・縮小やカラーの指定、編集後の登録などの各種の編集機能を実現するための機能ボタンが設けられている。」、
「【００１３】表示された原稿イメージ上で編集する場合、オペレータはカラー編集入力装置の操作パネル部で編集機能ボタンの選択、例えば自由形や矩形などの領域設定方法を選択し（Ｓ３）、タッチペンを使って原稿イメージ上に編集領域を指定する。」等の記載がされている。
　
　周知例２．特開平６−１１３１０８号公報（平成６年４月２２日公開）
「【特許請求の範囲】
……
【請求項２】　原稿の画像をドットマトリクス形式で読取る画像読取部を設け、この画像読取部が読取った画像情報をドットマトリクス形式で印刷用紙に印刷する画像印刷部を設けたデジタル複写機において、前記画像読取部が読取った画像情報を表示する画像表示部を設け、この画像表示部上に各種情報が手書入力される情報入力手段を一体に設け、この情報入力手段で前記画像情報上に手書入力された編集領域を前記画像情報上に設定する領域設定手段を設け、この領域設定手段で設定された編集領域内の画像情報に対する編集処理を情報入力手段で手書入力されたシンボルに従って実行する画像編集手段を設けたことを特徴とするデジタル複写機。」等の記載がされている。　
　周知例３．特開平６−３８０１９号公報（平成６年２月１０日公開）
「【要約】
【目的】　複写装置において編集する画像の領域を指定するときに指定した領域の修正を行うことができるようにする。
【構成】　原稿の部分複写や移動、変倍などの画像編集機能を有し、スキャナ１によって読み取った原稿画像を表示する液晶ディスプレイ２と、ディスプレイ２と一体型の透明タブレット及びスタイラスペンを有する座標入力手段４を備えた複写装置において、読み取った原稿画像が表示されているタブレット４上で領域を指定し、……」等の記載がされている。　
　
　したがって、引用発明において、「画像読取手段によって読み取られた画像データを表示するタッチパネル」を設け、「領域指定手段」を、「前記タッチパネル上の操作により、該タッチパネルに表示されている画像データ中の前記画像加工手段に加工させる任意の領域を指定する手段」とすることは当業者が容易になしえることである。
　
５．むすび
　以上のとおり、本願の請求項１に係る発明は、上記引用例に記載された発明に基づいて当業者が容易に発明をすることができたものであるから、特許法第２９条第２項の規定により特許を受けることができない。
　よって、結論のとおり審決する。